(57)【要約】【課題】従来、多画面表示においては、画面に対応する音声の認識がむずかしいという問題点を有していた。【解決手段】内蔵チューナ７や外部映像機器８からの複数の画像信号入力に基づく複数の画像を各々の大きさを変更可能に１つの画面上に表示するソース選択部４及び画像合成／表示部５と、この画像合成／表示部５で表示される画像にかかる音声出力部６からの出力音量を表示される画像の大きさに対応させて制御するコントローラ３とを具備した。【選択図】  図１
2004297644.tif 000002
【特許請求の範囲】
【請求項１】
複数の画像信号入力に基づく複数の画像を少なくともその内の１つの画像の大きさを変更可能に１つの画面上に表示する手段と、この表示手段で表示される画像にかかる音声を出力する音声出力手段と、この音声出力手段の出力を表示される画像の大きさに対応するよう制御する制御手段とを具備したことを特徴とする画像表示装置。
【請求項２】
請求項１記載の画像表示装置において、前記音声出力手段は、前記表示手段にて表示される複数の画面にかかる音声を、単独または同時に出力可能としたことを特徴とする画像表示装置。
【請求項３】
複数の画像信号入力に基づく複数の画像を１つの画面上に表示する手段と、この表示手段で表示される画像にかかる音声を出力する音声出力手段と、この音声出力手段による音声の出力位置が前記表示手段で表示される画像の画面上での位置に対応するよう制御する制御手段とを具備したことを特徴とする画像表示装置。
【請求項４】
請求項３記載の画像表示装置において、前記音声出力手段は、複数チャンネルの音声出力を有することを特徴とする画像表示装置。
【請求項５】
請求項３記載の画像表示装置において、前記制御手段は、前記音声出力手段による音声出力位置を前記表示手段にて表示される画像の画面中心からの距離及び方向に基づいて制御するよう構成したことを特徴とする画像表示装置。
【請求項６】
請求項３記載の画像表示装置において、前記表示手段は、複数の画像信号入力に基づく複数の画像を各々の表示位置を変更可能に１つの画面上に表示するものであることを特徴とする画像表示装置。
【発明の詳細な説明】
【０００１】
【発明の属する技術分野】
本発明は、画像表示装置に関する。
【０００２】
【従来の技術】
近年テレビジョン受像機の画面が大型化されており、これに伴い、複数のチューナを内蔵して、異なるチャンネルの番組を同時に画面上に表示する多画面表示が可能なテレビジョン受像機が普及している。上記テレビジョン受像機では、外部入力に基づく映像と内蔵チューナに基づく映像とを多画面表示することも可能である。特許文献１には、上記の如き多画面表示において、画像の大きさを互いに異ならせたり、特定の画面の音声を選択したりすることを可能とした装置が開示されている。しかしながら、多画面表示においては、特定の画面に対応する音声の認識がむずかしいという問題点を有していた。
【０００３】
【特許文献１】米国特許第６，４５６，３３４号公報
【０００４】
【発明が解決しようとする課題】
以上述べたように、従来、多画面表示においては、画面に対応する音声の認識がむずかしいという問題点を有していた。
【０００５】
本発明はこのような問題点を解決するためになされたもので、画面に対応する音声の認識が容易な画像表示装置を提供することを目的とする。
【０００６】
【課題を解決するための手段】
（注：  以下には、最終的に確定したクレーム内容を記載します。）
請求項１にかかる画像表示装置は、複数の画像信号入力に基づく複数の画像を少なくともその内の１つの画像の大きさを変更可能に１つの画面上に表示する手段と、この表示手段で表示される画像にかかる音声を出力する音声出力手段と、この音声出力手段の出力を表示される画像の大きさに対応するよう制御する制御手段とを具備したことを特徴とするものである。
【０００７】
請求項２にかかる画像表示装置は、請求項１記載の画像表示装置において、前記音声出力手段は、前記表示手段にて表示される複数の画面にかかる音声を、単独または同時に出力可能としたことを特徴とするものである。
【０００８】
請求項３にかかる画像表示装置は、複数の画像信号入力に基づく複数の画像を１つの画面上に表示する手段と、この表示手段で表示される画像にかかる音声を出力する音声出力手段と、この音声出力手段による音声の出力位置が前記表示手段で表示される画像の画面上での位置に対応するよう制御する制御手段とを具備したことを特徴とするものである。
【０００９】
請求項４にかかる画像表示装置は、請求項３記載の画像表示装置において、前記音声出力手段は、複数チャンネルの音声出力を有することを特徴とするものである。
【００１０】
請求項５にかかる画像表示装置は、請求項３記載の画像表示装置において、前記制御手段は、前記音声出力手段による音声出力位置を前記表示手段にて表示される画像の画面中心からの距離及び方向に基づいて制御するよう構成したことを特徴とするものである。
【００１１】
請求項６にかかる画像表示装置は、請求項３記載の画像表示装置において、前記表示手段は、複数の画像信号入力に基づく複数の画像を各々の表示位置を変更可能に１つの画面上に表示するものであることを特徴とするものである。
【００１２】
【発明の実施の形態】
以下、本発明になる画像表示装置の実施の形態について図面を用いて説明する。
【００１３】
図１は、本発明になる画像表示装置の一実施の形態を示すブロック図であり、１は装置の各種機能のコントロール用リモコンであり、２はリモコン１または装置本体の図示せぬスイッチからの制御用信号を受け付ける入力部である。３は入力部２に接続された制御部であり、後述するソース選択部４、画像合成／表示部５、音声出力部６を制御する。ソース選択部４には、内蔵チューナ７ａ、７ｂ、ＶＴＲやＤＶＤといった外部映像機器８ａ、８ｂが接続され、それらの映像出力を選択して出力する。ソース選択部４の出力端には、画像合成／表示部５、音声出力部６が接続されている。
【００１４】
次に図１に示した装置の動作について、図２のフローチャート及び図３の画像合成／表示部５での表示画面も用いて説明する。まずユーザによってリモコン１から複数のソースからの画面を画像合成／表示部５に同時に表示する指示が出されている状態にあるものとする（図２のステップＳ１）。これは内蔵チューナ７ａ、７ｂ及び外部映像機器８ａ、８ｂからの再生出力がソース選択部４にて選択され、画像合成／表示部５にて合成されて表示されることになる。
【００１５】
なお、複数画面の同一画面への合成や、各画面の表示位置の変更、あるいは画面の大きさの変更は、既に一般的な公知の技術にて対応可能であるから、ここではその詳細な説明は省略する。基本的に縮小画像の画面の所望位置への表示には、メモリに該当画像信号を記憶し、画面表示がなされる画面の所望の表示位置にてメモリから圧縮された画像信号を出力する（元の画像信号の走査線１本分に対応した信号を次々に連続した走査線位置で表示する）ことで対応できる。すなわち、当該メモリから書き込み時よりも早い速度（例えば３倍の早さ）で読み出し、且つ適宜な間隔で走査線を間引きながら出力させる（例えば３本に１本を出力させる）ことで、縮小（例えば１／３の）画面を表示できる。
【００１６】
図３は上述したようにして縮小画面が表示された画面１１を示す。図中、１２は内蔵チューナ７ａからの出力映像Ａに基づく縮小画面であり、同じく１３は内蔵チューナ７ｂからの出力映像Ｂに基づく縮小画面である。一方、１４、１５はそれぞれ外部映像機器８ａ、８ｂからの出力映像Ｃ、Ｄに基づく縮小画面である。
【００１７】
ここで、図２のフローチャートに戻り、装置は入力部２に入力が有ったか否かをチェックする。入力が有れば、次に画面サイズの変更要求か否かがチェックされる（ステップＳ３）。入力がなければ、再びステップＳ２に戻り、入力部２に入力が有ったか否かがチェックされる。ステップＳ３で入力が画面サイズの変更要求であることが分かると（ステップＳ３でＹＥＳ）、変更要求された画面サイズに対応した音量がコントローラ３にて計算される（ステップＳ４）。さらに、コントローラ３は画像合成／表示部５に対し、指定ソース（例えばチューナ７ｂで受信されているチャンネルＡの出力）の画面表示の大きさの変更（例えば１／９縮小画面（図３の画面１３参照）から１／４縮小画面への変更（同じく図３の点線で囲んだ画面１３ａ参照））を指示すると共に、音声出力部６に上記計算された音量（例えば約２倍の音量）への変更を指示する（ステップＳ５）。なお、ステップＳ３で入力が画面サイズの変更要求でない場合は（ステップＳ３でＮＯ）、画面サイズ変更以外のユーザが指示した処理内容が実施される（ステップＳ６）。
【００１８】
すなわち、ユーザがリモコン１を用いて入力部２に特定の画面のサイズ変更要求を行ったとすると、画面の大きさに応じた音量変更がなされることになる。従って、本実施の形態によれば、画面に対応する音声の認識が容易となる。
【００１９】
次に図１に示した装置の他の動作について、図４のフローチャート及び図５の画像合成／表示部５での表示画面も用いて説明する。まずユーザによってリモコン１から複数のソースからの画面を画像合成／表示部５に同時に表示する指示が出されている状態にあるものとする（図４のステップＳ１１）。これは例えば、内蔵チューナ７ａ、７ｂ及び外部映像機器８ａ、８ｂからの再生出力がソース選択部４にて選択され、画像合成／表示部５にて１つの画面上に合成された上で、表示されることを意味する。なお、複数画面の同一画面への合成や、各画面の表示位置の変更、あるいは画面の大きさの変更は、前述したように既に一般的な公知の技術にて対応可能であるから、ここではその詳細な説明は省略する。
【００２０】
図５はこのようにして複数の縮小画面が同一画面２１上に表示された状態を示す。図中、２２は内蔵チューナ７ａからの出力映像Ａに基づく縮小画面であり、同じく２３は内蔵チューナ７ｂからの出力映像Ｂに基づく縮小画面である。一方、２４、２５はそれぞれ外部映像機器８ａ、８ｂからの出力映像Ｃ、Ｄに基づく縮小画面である。
【００２１】
ここで、図４のフローチャートに戻り、装置は入力部２に入力が有ったか否かをチェックする（ステップＳ１２）。入力が有れば、次に画面表示位置の変更要求か否かがチェックされる（ステップＳ１３）。入力がなければ、再びステップＳ２に戻り、入力部２に入力が有ったか否かがチェックされる。ステップＳ１３で入力が画面表示位置の変更要求であることが分かると（ステップＳ１３でＹＥＳ）、変更要求された画面表示位置に対応した音声出力の位置がコントローラ３にて計算される（ステップＳ１４）。さらに、コントローラ３は画像合成／表示部５に対し、指定ソース（例えばチューナ７ａで受信されているチャンネルＡの出力）の画面表示位置の変更（例えば図５の画面２２の表示位置から画面２２ａの表示位置への変更）を指示すると共に、音声出力部６に対しチャンネルＡの出力が上記計算された音声出力位置から出力されるよう変更を指示する（ステップＳ１５）。
【００２２】
ここで、音声出力部６での音声出力位置とその変更について、画面表示を示す先の図５と共に、新たに図６を用いて説明する。図６は、ある居室３１における画像表示装置本体（ここではテレビジョン受像機として示している）３２と４台のスピーカ（ＳＰ）３３乃至３６との配置関係を示す平面図である。また、３７は視聴者である。なお、ＳＰ３３乃至３６は装置本体３２の音声出力部の対応出力端子に接続されている。
【００２３】
画面２１に表示された各種ソースに基づく縮小画面の音声は、画面上で表示されている縮小ソース画面の位置及び画面中心からの距離に基づいて、その出力位置が決められる。例えば、図５の画面２１上で左上に表示される画面２２にかかる音声は、装置本体３２に向かって左奥の位置ａから聞こえるように出力され、同じく図５の画面上で右下に表示される画面２５にかかる音声は、装置本体３２に向かって右後ろの位置ｄから聞こえるように出力される。すなわち、装置本体３２からの各ＳＰ３３乃至３６への出力（各縮小画面にかかる音声の合成）が制御されることになる。これにより空間的に音声を認識でき、ソースの判別が容易となる。
【００２４】
図５に示すように、画面２２が画面２２ａで示す位置に表示位置が変更されるときは、音声出力位置が図６において、位置ｅとなるように音声出力部６での音声出力が変更され、各ＳＰ３３乃至３６への出力が制御される。
【００２５】
ここで、再び図４のフローチャートに戻り、ステップＳ１３で入力が画面表示位置の変更要求でない場合は（ステップＳ１３でＮＯ）、画面サイズ変更以外のユーザが指示した処理内容が実施される（ステップＳ１６）。
【００２６】
以上述べたように、ユーザがリモコン１を用いて入力部２に特定の縮小画面の表示位置の変更を行ったとすると、画面の表示位置に応じた音声出力位置の変更がなされることになる。従って、本実施の形態によれば、画面に対応する音声の認識が容易となる。
【００２７】
なお、この発明は上述した実施の形態に限定されるものではなく、種々の変形や応用が可能であることは言うまでもない。例えば、複数人で同時に行うテレビ会議等へ本発明を応用することも可能である。また、音声出力は、５．１ｃｈ方式のものを想定して説明したが、２ｃｈステレオ方式のものにも適用可能である。さらに、各種操作の支持は、リモコンの使用を念頭においているが、装置本体に設けられた各種のキースイッチを利用しても良いことは勿論である。
【００２８】
【発明の効果】
以上説明したように、この発明によれば、画面に対応する音声の認識が容易な画像表示装置を提供することができる。
【図面の簡単な説明】
【図１】本発明になる画像表示装置の実施の形態の一例を示すブロック図。
【図２】図１の装置の動作を説明するためのフローチャート。
【図３】縮小画面が複数同一画面上に表示された状態を示すと共に縮小画面のサイズ変更を説明するための図。
【図４】図１の装置の他の動作を説明するためのフローチャート。
【図５】縮小画面が複数同一画面上に表示された状態を示すと共に縮小画面の表示位置変更を説明するための図。
【図６】ある居室における画像表示装置本体とスピーカとの配置関係を示す平面図である。
【符号の説明】
１：  リモコン
２：  入力部
３：  コントローラ
４：  ソース選択部
５：  画像合成／表示部
６：  音声出力部
７：  内蔵チューナ
８：  外部映像機器
【図１】
2004297644.tif 000003
【図２】
2004297644.tif 000004
【図３】
2004297644.tif 000005
【図４】
2004297644.tif 000006
【図５】
2004297644.tif 000007
【図６】
2004297644.tif 000008